(57)【要約】【課題】  ＮＢＤＰ通信の操作訓練の効果を向上させる。【解決手段】  ネットワーク部２４とネットワーク部５０は、ネットワーク１４に対応したネットワークインターフェースを提供する。船舶局管理部２８は、通信操作の手順に応じて、現在進行しているステップを管理し、管理しているステップに対応したファイル生成部３２、海岸局選択部３４、周波数選択部３６、チューニング部３８、ファイル送信処理部４０のいずれかをアクティブにする。効果音再生部２０は、記憶部２６に記録された効果音のデータを再生する。海岸局設定部６２と周波数設定部６４は、非訓練者が予め訓練者が選択すべき擬似海岸局１２と周波数を設定する。ファイル受信処理部７０は、ファイル送信処理部４０から送信されたファイルを受信する。海岸局管理部５８は、前述の船舶局管理部２８と連動して動作する。【選択図】  図１
2005099219.tif 000002
【特許請求の範囲】
【請求項１】
狭帯域直接印刷電信システムの船舶局と海岸局をそれぞれ模擬した擬似船舶局と擬似海岸局間の通信手順にわたってなされるべき擬似船舶局からの指示に対応した擬似船舶局への回答を予め記憶する記憶部と、
通信手順のうちの進行したステップを管理する管理部と、
擬似船舶局を操作すべき訓練者からの指示を受け付ける受付部と、
前記受け付けた指示が前記管理している現在のステップに対応している場合に、当該指示に応じた擬似船舶局への回答を前記記憶部から選択し、かつ前記管理部に対して、通信手順のステップの進行を指示する制御部と、
前記擬似船舶局を操作すべき訓練者に対して、前記選択した擬似船舶局への回答を表示する表示部とを備え、
前記制御部は、前記受け付けた指示が前記管理している現在のステップに対応していない場合に、前記管理部に対して、通信手順のステップの進行を指示しないことを特徴とする通信訓練装置。
【請求項２】
擬似船舶局と擬似海岸局との間で選択可能な複数の周波数のうちの少なくともひとつの周波数を予め設定する設定部と、
所定の効果音のデータを再生する効果音再生部とをさらに備え、
前記記憶部は、前記効果音再生部で再生するための通信可能な状態を示す効果音のデータと通信不可能な状態を示す効果音のデータをそれぞれ記憶し、
前記受付部は、擬似船舶局を操作すべき訓練者から、通信手順に含まれた所定の周波数を選択する旨の指示を受け付け、
前記制御部は、前記指示された周波数が前記予め設定した周波数であれば、前記効果音再生部に前記通信可能な状態を示す効果音のデータの再生を指示し、前記指示された周波数が前記予め設定した周波数でなければ、前記効果音再生部に前記通信不可能な状態を示す効果音のデータの再生を指示することを特徴とする請求項１に記載の通信訓練装置。
【請求項３】
前記記憶部は、複数の擬似海岸局にそれぞれ対応した複数種類の通信手順の中での擬似船舶局への回答を予め記憶し、
前記管理部は、前記複数の擬似海岸局の中で予め選択された擬似海岸局に対応した通信手順のうちの進行したステップを管理することを特徴とする請求項１に記載の通信訓練装置。
【請求項４】
前記制御部は、前記受け付けた指示が前記管理している現在のステップに対応していない場合に、表示部に対して警告の表示を指示することを特徴とする請求項１に記載の通信訓練装置。
【請求項５】
前記擬似海岸局の機能と前記擬似船舶局の機能を同一の装置内に実装したことを特徴とする請求項１から４のいずれかに記載の通信訓練装置。
【請求項６】
狭帯域直接印刷電信システムの船舶局と海岸局をそれぞれ模擬した擬似船舶局と擬似海岸局間の通信手順のうちの進行した段階を管理するステップと、
擬似船舶局を操作すべき訓練者からの指示を受け付けるステップと、
前記受け付けた指示が前記管理している現在の段階に対応している場合に、当該指示に応じた擬似船舶局への回答を出力するステップとを備え、
前記進行した段階を管理するステップは、前記受け付けた指示が前記管理している現在の段階に対応している場合に、通信手順の段階をさらに進行させて管理し、前記受け付けた指示が前記管理している現在の段階に対応していない場合に、通信手順の段階を進行させずに管理することを特徴とする通信訓練方法。
【請求項７】
狭帯域直接印刷電信システムの船舶局と海岸局をそれぞれ模擬した擬似船舶局と擬似海岸局間の通信手順のうちの進行した段階をメモリ上で管理するステップと、
所定のインターフェースを介して、擬似船舶局を操作すべき訓練者からの指示を受け付けるステップと、
前記受け付けた指示が前記管理している現在の段階に対応している場合に、当該指示に応じた擬似船舶局への回答を予め記憶したメモリから出力するステップとを備え、
前記進行した段階を管理するステップは、前記受け付けた指示が前記管理している現在の段階に対応している場合に、通信手順の段階をさらに進行させてメモリ上で管理し、前記受け付けた指示が前記管理している現在の段階に対応していない場合に、通信手順の段階を進行させずにメモリ上で管理することをコンピュータに実行させるためのプログラム。
【請求項８】
擬似船舶局と擬似海岸局との間で選択可能な複数の周波数のうちの少なくともひとつの周波数を予め設定するステップと、
メモリに記憶された所定の効果音のデータを再生するステップとをさらに備え、
前記擬似海岸局への指示を受け付けるステップは、擬似船舶局を操作すべき訓練者から、通信手順に含まれた所定の周波数を選択する旨の指示を受け付け、
前記効果音のデータを再生するステップは、前記指示された周波数が前記予め設定した周波数であれば、メモリに記憶された通信可能な状態を示す効果音のデータを再生し、前記指示された周波数が前記予め設定した周波数でなければ、メモリに記憶された通信不可能な状態を示す効果音のデータを再生することを特徴とする請求項７に記載のプログラム。
【請求項９】
複数の擬似海岸局の中から所定の擬似海岸局を選択するステップをさらに備え、
前記進行した段階を管理するステップは、前記選択した擬似海岸局に対応した通信手順うちの進行した段階をメモリ上で管理することを特徴とする請求項７に記載のプログラム。
【発明の詳細な説明】
【技術分野】
【０００１】
本発明は、通信訓練技術に関し、特に狭帯域直接印刷電信システムの通信操作を習得するための通信訓練方法および装置に関する。
【背景技術】
【０００２】
ＧＭＤＳＳ（Ｇｌｏｂａｌ  Ｍａｒｉｔｉｍｅ  Ｄｉｓｔｒｅｓｓ  ａｎｄ  Ｓａｆｅｔｙ  Ｓｙｓｔｅｍ:全世界的な海上遭難・安全システム)において、一般通信、遭難通信等の重要通信は電話やテレックスで行われる。一般的に、遭難現場での救助活動は電話を使用するが、その前段階の通信連絡は、その記録性と確実性の面からテレックスを使用している。このテレックスによる通信は、ＮＢＤＰ（Ｎａｒｒｏｗ  Ｂａｎｄ  Ｄｉｒｅｃｔ  Ｐｒｉｎｔｉｎｇ:狭帯域直接印刷電信)とも呼ばれ、変調方式にＦＳＫ（Ｆｒｅｑｕｅｎｃｙ  Ｓｈｉｆｔ  Ｋｅｙｉｎｇ）を使用して、船舶局と海岸局の間で伝送速度１００ボーで通信する。ＮＢＤＰでは信号の誤りを訂正するために、ＡＲＱ（Ａｕｔｏｍａｔｉｃ  Ｒｅｐｅａｔ  ｒｅＱｕｅｓｔ）方式またはＦＥＣ（Ｆｏｒｗａｒｄ  Ｅｒｒｏｒ  Ｃｏｒｒｅｃｔｉｏｎ）方式のいずれかを選択して使用するが、船舶局と海岸局間のテレックス通信は、一般的にＡＲＱ方式を使用する。
【０００３】
ＮＢＤＰの通信操作の訓練が、実際のＮＢＤＰの通信設備を使用して行われた場合、不要な電波が発射されて、実際に運用されている通信に影響を与えるおそれがある。そのため、実際の通信設備は訓練のために使用できない。そこで、テレックスの通信操作の訓練装置が検討されている。訓練装置は、訓練席と非訓練席の間を音声信号回線とデータ信号回線によって接続し、これらの回線によって、訓練席と非訓練席間で伝送すべき情報を通信するために、不要な電波を発射せずに訓練可能である（例えば、特許文献１参照。）。
【特許文献１】特開平７−７７９２７号公報
【発明の開示】
【発明が解決しようとする課題】
【０００４】
一般的に、訓練者は数ヶ月にわたる遠洋航海中にＮＢＤＰ通信を実際に行う。しかしながら、訓練者がＮＢＤＰ通信を行う機会は、１回の無線室当直当たり１、２回であり、通信前の操作手順、機器の操作方法についての説明だけでは、遠洋航海終了までに操作手順を理解し、操作ができるまで上達しないのが通常である。その原因は、入直回数が少ないことや、今まで同種の通信の経験がない訓練者にとって、単発的にＮＢＤＰ通信を経験するだけでは不十分のためと考えられる。さらに、ＮＢＤＰ通信はインマルサットのテレックスのように操作手順を覚えれば使えるものではなく、通信の特徴、電波伝搬の特徴も考慮に入れた上で通信操作をしなければならないことも原因のひとつと考えられる。
【０００５】
以上の状況を鑑みると、テレックスの通信操作の訓練装置によって、予め操作手順等を習得することは有効である。しかしながら、従来のテレックスの通信操作の訓練装置は、不要な電波を発射しないという利点はあるが、訓練者の教育ための機能は不十分であって、例えば、訓練者が操作を誤った場合にそれを指摘できれば、訓練者の操作技術の向上がより早くなる。また、訓練者が一人で通信操作の訓練をできれば、訓練回数を増加可能なため、訓練者の操作技術の向上がより早くなる。さらに、海岸局や通信に使用する周波数の選択も現実の通信に則していれば、訓練者は予めそれらの技術を習得できるため、訓練者の操作技術の向上がはかられる。
【０００６】
本発明はこうした状況に鑑みてなされたものであり、その目的は、訓練者に対して、通信操作の技術を向上させるための通信訓練技術を提供することにある。
【課題を解決するための手段】
【０００７】
本発明のある態様は、通信訓練装置である。この装置は、狭帯域直接印刷電信システムの船舶局と海岸局をそれぞれ模擬した擬似船舶局と擬似海岸局間の通信手順にわたってなされるべき擬似船舶局からの指示に対応した擬似船舶局への回答を予め記憶する記憶部と、通信手順のうちの進行したステップを管理する管理部と、擬似船舶局を操作すべき訓練者からの指示を受け付ける受付部と、受け付けた指示が管理している現在のステップに対応している場合に、当該指示に応じた擬似船舶局への回答を記憶部から選択し、かつ管理部に対して、通信手順のステップの進行を指示する制御部と、擬似船舶局を操作すべき訓練者に対して、選択した擬似船舶局への回答を表示する表示部とを備える。この装置において、制御部は、受け付けた指示が管理している現在のステップに対応していない場合に、管理部に対して、通信手順のステップの進行を指示しなくてもよい。
【０００８】
「擬似船舶局」と「擬似海岸局」は、物理的には別の装置に実装して、それらを一体として、通信訓練装置と解釈してもよい。また、「擬似船舶局」あるいは「擬似海岸局」だけをひとつの装置に実装して、それを通信訓練装置と解釈してもよい。また、「擬似船舶局」と「擬似海岸局」を一体的にひとつの装置に実装して、それを通信訓練装置と解釈してもよい。
「回答」の形式は、テキスト形式にかかわらず、任意の形式であってもよく、指示に対する何らかの応答であればよい。
以上の装置により、訓練者からの指示が通信手順のうえで適切でない場合には、通信手順のステップを進行させないため、訓練者に対して、通信手順の誤りを知らしめることが可能である。
【０００９】
擬似船舶局と擬似海岸局との間で選択可能な複数の周波数のうちの少なくともひとつの周波数を予め設定する設定部と、所定の効果音のデータを再生する効果音再生部とをさらに備え、記憶部は、効果音再生部で再生するための通信可能な状態を示す効果音のデータと通信不可能な状態を示す効果音のデータをそれぞれ記憶し、受付部は、擬似船舶局を操作すべき訓練者から、通信手順に含まれた所定の周波数を選択する旨の指示を受け付け、制御部は、指示された周波数が予め設定した周波数であれば、効果音再生部に通信可能な状態を示す効果音のデータの再生を指示し、指示された周波数が予め設定した周波数でなければ、効果音再生部に通信不可能な状態を示す効果音のデータの再生を指示してもよい。
「効果音」は、実際の通信で聞こえる信号音等に近ければよい。
【００１０】
記憶部は、複数の擬似海岸局にそれぞれ対応した複数種類の通信手順の中での擬似船舶局への回答を予め記憶し、管理部は、複数の擬似海岸局の中で予め選択された擬似海岸局に対応した通信手順のうちの進行したステップを管理してもよい。
「複数種類の通信手順」とは、例えば、狭帯域直接印刷電信システムのオペレータ制御やコマンド制御である。
【００１１】
制御部は、受け付けた指示が管理している現在のステップに対応していない場合に、表示部に対して警告の表示を指示してもよい。擬似海岸局の機能と擬似船舶局の機能を同一の装置内に実装してもよい。
「警告の表示」は、所定のメッセージを表示してもよく、あるいは表示の色彩等のみを変更してもよく、訓練者が警告と認識できればよい。
【００１２】
本発明の別の態様は、通信訓練方法である。この方法は、狭帯域直接印刷電信システムの船舶局と海岸局をそれぞれ模擬した擬似船舶局と擬似海岸局間の通信手順のうちの進行した段階を管理するステップと、擬似船舶局を操作すべき訓練者からの指示を受け付けるステップと、受け付けた指示が管理している現在の段階に対応している場合に、当該指示に応じた擬似船舶局への回答を出力するステップとを備える。この方法において、進行した段階を管理するステップは、受け付けた指示が管理している現在の段階に対応している場合に、通信手順の段階をさらに進行させて管理し、受け付けた指示が管理している現在の段階に対応していない場合に、通信手順の段階を進行させずに管理してもよい。
【００１３】
本発明の別の態様は、プログラムである。このプログラムは、狭帯域直接印刷電信システムの船舶局と海岸局をそれぞれ模擬した擬似船舶局と擬似海岸局間の通信手順のうちの進行した段階をメモリ上で管理するステップと、所定のインターフェースを介して、擬似船舶局を操作すべき訓練者からの指示を受け付けるステップと、受け付けた指示が管理している現在の段階に対応している場合に、当該指示に応じた擬似船舶局への回答を予め記憶したメモリから出力するステップとを備える。このプログラムにおいて、進行した段階を管理するステップは、受け付けた指示が管理している現在の段階に対応している場合に、通信手順の段階をさらに進行させてメモリ上で管理し、受け付けた指示が管理している現在の段階に対応していない場合に、通信手順の段階を進行させずにメモリ上で管理する。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、訓練者に対して、通信操作の技術を向上させることができる。
【発明を実施するための最良の形態】
【００１６】
本発明を具体的に説明する前に、概要を述べる。本発明の実施例１は、ネットワークを介して接続した少なくとも２台のＰＣに擬似船舶局と擬似海岸局に対応したソフトウエアプログラムをそれぞれインストールして（以下、「擬似船舶局」や「擬似海岸局」をインストールしたＰＣを「擬似船舶局」や「擬似海岸局」といい、あるいは単に「船舶局」や「海岸局」という場合もある）、擬似船舶局と擬似海岸局によって通信操作を訓練するための通信訓練装置に関する。実施例１において、訓練者は擬似船舶局を操作し、擬似海岸局との通信を試みるが、それに先立って訓練において、擬似船舶局が存在する位置の緯度と経度が定められ、訓練者は擬似海岸局との距離や時刻に応じて、通信対象とすべき擬似海岸局の選択や使用する周波数の選択を検討する。
【００１７】
訓練者が、通信操作の手順を誤った場合に、通信訓練装置は、先のステップに進行せずに、さらに警告文を表示することによって、訓練者に対して操作の誤りを通知する。また、実際の通信において、選択した周波数が適切でない場合に、海岸局からの雑音の混じった信号音が聞こえるが、通信装置訓練装置においても、海岸局からの雑音の混じった信号音のデータと、海岸局からの雑音の混じっていない信号音のデータのいずれかが、訓練者が選択した周波数に応じて再生される。さらに、実際の海岸局の通信方法には、米国コースガード海岸局などで採用されているコマンド制御によるものと、海上保安庁の海岸局などで採用されているオペレータ制御によるものがあるが、通信訓練装置は両者に対応し、前述の訓練者が選択した擬似海岸局に応じて、自動的に通信方法が決定される。
【００１８】
本発明の実施例２は、実施例１の擬似船舶局と擬似海岸局に対応したソフトウエアプログラムを１台のＰＣにインストールしておき、訓練者が通信操作を訓練するための通信訓練装置に関する。実施例１と異なって、１台のＰＣのみでローカルに通信操作の訓練の実行が可能になる。
【００１９】
(実施例１）
図１は、実施例１に係る通信訓練装置１００の構成を示す。通信訓練装置１００は、擬似船舶局１０、擬似海岸局１２、ネットワーク１４を含む。また、擬似船舶局１０は、操作部１６、表示部１８、効果音再生部２０、船舶局処理部２２、ネットワーク部２４、記憶部２６、船舶局管理部２８、制御部３０を含み、擬似海岸局１２は、ネットワーク部５０、海岸局処理部５２、操作部５４、記憶部５６、海岸局管理部５８、制御部６０を含む。さらに、船舶局処理部２２は、ファイル生成部３２、海岸局選択部３４、周波数選択部３６、チューニング部３８、ファイル送信処理部４０を含み、海岸局処理部５２は、海岸局設定部６２、周波数設定部６４、海岸局選択処理部６６、周波数選択処理部６８、ファイル受信処理部７０、船舶局呼出部７２を含む。
【００２０】
ネットワーク１４は、後述の擬似船舶局１０と擬似海岸局１２に対応した２台のＰＣを接続する。ネットワーク１４の通信ケーブルや通信プロトコルは任意のものでかまわないが、ここでは、通信プロトコルにＵＤＰ／ＩＰを利用した。通信訓練装置１００は閉じたシステムを構成するので、Ｃクラスの固定ＩＰアドレスを擬似船舶局１０や擬似海岸局１２に割り振った。また、ＩＰアドレスと通信訓練で使用される呼出符号が対になった設定ファイルを用意して、擬似船舶局１０と擬似海岸局１２との間の通信はＩＰアドレスを意識せずに、呼出符号で呼出し可能である。なお、擬似船舶局１０を複数接続してもよい。
【００２１】
ネットワーク部２４は、ネットワーク１４に対応したネットワークインターフェースを提供し、ネットワーク１４を介して擬似海岸局１２にデータを送信したり、擬似海岸局１２からのデータを受信する。なお、擬似海岸局１２に含まれたネットワーク部５０もネットワーク部２４と同等の機能を有する。
【００２２】
操作部１６は、訓練者が擬似船舶局１０に所定の指示を入力するためのインターフェースであり、キーボードやマウス等を含む。ここでは、キーボードやマウス等の入力デバイスだけでなく、当該入力デバイスによって入力された指示の情報を受け付ける機能も含めるものとする。なお、擬似海岸局１２に含まれた操作部５４も操作部１６と同等の機能を有する。
【００２３】
ファイル生成部３２は、ＮＢＤＰ通信に先立って、送信すべきファイルを生成あるいは編集する機能を提供する。送信すべきファイルの一例には、ＪＡＳＲＥＰ、ＡＭＶＥＲなどの船位通報制度に対応したものや、気象観測通報に対応したものがある。
【００２４】
海岸局選択部３４は、例えば、訓練において太平洋上の１点で示される位置に存在すると想定される擬似船舶局１０から、擬似船舶局１０の海域や送信するファイルの種類に応じて、日本、ハワイ、グアムなどに配置されている擬似海岸局を選択する。ここで、通信操作の訓練においては、複数の擬似海岸局が世界の複数の領域に配置されており、それらのうちのいずれかに対して、擬似船舶局１０は通信操作の訓練を実行するが、物理的には、一台の擬似海岸局１２が存在するだけである。そのため、訓練上の擬似海岸局と現実の擬似海岸局１２は、１対１で対応するものでないが、説明の簡易化のために、これらを区別せずに、すべて擬似海岸局１２と代表して説明する。ＮＢＤＰ通信は、擬似海岸局１２の選択に応じて、米国コーストガードの海岸局のようにコマンド制御による方式と、海上保安庁の海岸局のようにオペレータ制御による方式のいずれかでなされる。以後、選択された擬似海岸局１２が実行可能な通信方式によって、通信操作の訓練が行われる。
【００２５】
周波数選択部３６は、選択した擬似海岸局１２と通信可能な複数の周波数の中から、ひとつの周波数を選択する。操作上は、ひとつの周波数を選択するだけであるが、ＮＢＤＰ通信では短波帯を使用するため、通信状態が一定でなく、適切でない周波数を選択した場合、通信できずに無駄な電波を発射した結果になる。そのため、通信操作の訓練では、通信開始時に、適切な周波数を選択するという意識を持たせるために、後述の周波数選択処理部６８との連係動作によって、周波数の選択が適切でない場合に、通信操作の次のステップに進行できないようにしている。さらに、効果音の違いによって、訓練者が、周波数選択の正確性を判断できるようにするが、これについては後述する。
【００２６】
チューニング部３８は、実際のＮＢＤＰ通信では、電波を発射する前に、アンプやアンテナ等のチューニングを行う必要があり、訓練者にチューニング動作を習得させるために、チューニング機能を提供する。しかしながら、通信訓練装置１００は、電波を発射しないためにアンプやアンテナ等を含まず、実際にチューニングを行っていない。ここでは、後述の効果音再生部２０によって、チューニング時に発生する効果音を再生させている。さらに、訓練者がチューニングを行うべきステップにおいて、チューニングを行わなければ、通信操作の次のステップに進行できないようにしている。
【００２７】
ファイル送信処理部４０は、ファイル生成部３２で生成したファイルを擬似海岸局１２に送信するために、送信前の前処理と実際の送信処理を実行する。前述のごとく、ファイルを送信するための通信方式には、オペレータ制御とコマンド制御があり、選択された擬似海岸局１２に応じてどちらかの通信方式が実行される。特に、ＮＢＤＰ通信において、実際にオペレータと通信を行う場面は、コマンド制御からオペレータを呼び出す場合と、オペレータ制御の通信形態をとる海岸局との通信の場面の２種類を含む。対オペレータ通信は海岸局が意図するところを、ディスプレイに表示される文字列を読みながら理解し、送信の順番が船舶局に移るとキーボードを使って即座に回答を入力しなければならない。言語は主に英語が使われるので、高度な英語力はもちろんのこと、ブラインドタッチによるキーボード操作技術も必要である。通信訓練装置１００は、このような訓練にも対応している。
【００２８】
記憶部２６は、ファイル生成部３２で生成したファイル、海岸局選択部３４で選択した擬似海岸局１２の情報、周波数選択部３６で選択した周波数に関する条件を記憶する記憶媒体である。
船舶局管理部２８は、通信操作の手順に応じて、現在進行しているステップを管理し、管理しているステップに対応したファイル生成部３２、海岸局選択部３４、周波数選択部３６、チューニング部３８、ファイル送信処理部４０のいずれかをアクティブにする。また、前述のごとく操作部１６から入力された指示が管理しているステップに対応していない場合、次のステップには進行しない。
【００２９】
表示部１８は、擬似船舶局１０で動作するソフトウエアプログラムを表示するディスプレイ等である。
図２（ａ）−（ｂ）は、表示部１８で表示された画面を示す。図２（ａ）は、通信装置を表示している。通信装置ウインドウ１１２は、状態表示エリア１１４、ＴＵＮＥボタン１１６、ボタン１１８を含んでおり、実際に使用される船舶局の通信装置の操作パネルに近いデザインとしている。状態表示エリア１１４は、現在使用している周波数などの状態を表示する。操作部１６は、チューニング部３８でチューニングを実行する命令を送信するためのボタンであり、マウス等でクリックすることで、チューニング部３８にチューニングの指示が伝送される。ボタン１１８は、数字等を入力するためのボタンであるが、ここでは、外観を実際の操作パネルに近くするためのデザインであり、ボタン自体は、ダミーとする。図２（ａ）でコマンド入力切替ボタン１１０をクリックすれば、コマンド入力ウインドウ１２０を有した図２（ｂ）に切り替わる。この状態において、訓練者はコマンド入力ウインドウ１２０にコマンドを入力可能である。
【００３０】
効果音再生部２０は、記憶部２６に記録された効果音のデータを再生する。予め空電等のノイズを挿入した効果音のデータとノイズを挿入していない効果音のデータを生成して、記憶部２６に記憶しておき、前述の通り、周波数選択部３６で選択された周波数に応じて、効果音を選択して再生する。例えば、周波数選択部３６で選択した周波数が、ＮＢＤＰ通信に適切であれば、ノイズを挿入していない効果音のデータを再生し、周波数選択部３６で選択した周波数が、ＮＢＤＰ通信に適切でなければ、ノイズを挿入した効果音のデータを再生する。ここで、周波数選択部３６で選択した周波数が、ＮＢＤＰ通信に適切であるかの判断方法は、後述する。訓練者は、効果音を聞いて、通信成立の可能性を判断し、不可能と判断した場合は他の周波数に切り替え、最も適切な周波数を選択する訓練ができる。
【００３１】
制御部３０は、擬似船舶局１０の動作全体を制御する。なお、前述した擬似船舶局１０の各部の動作を実行してもよい。ここでは、制御部３０と擬似船舶局１０内の各部との信号線を図示していないが、必要に応じて配線されているものとする。
【００３２】
海岸局設定部６２は、非訓練者が予め訓練者が選択すべき擬似海岸局１２を設定する。ここで設定された擬似海岸局１２が、海岸局選択部３４で訓練者によって選択された場合に、海岸局選択処理部６６は、当該選択が正しいとして、船舶局管理部２８に次のステップに進行するように指示する。なお、海岸局選択処理部６６が擬似海岸局１２に含まれておらず、当該機能を前述の海岸局選択部３４や制御部３０が実行してもよい。
【００３３】
周波数設定部６４は、非訓練者が予め訓練者が選択すべき周波数を設定する。ここで設定された周波数が、海岸局選択部３４で訓練者によって選択された場合に、周波数選択処理部６８は、当該選択が正しいとして、船舶局管理部２８に次のステップに進行するように指示する。なお、周波数選択処理部６８が擬似海岸局１２に含まれておらず、当該機能を前述の周波数選択部３６や制御部３０が実行してもよい。以上の海岸局設定部６２と周波数設定部６４で設定される擬似海岸局１２と周波数は、一般的に非訓練者によって、擬似船舶局１０の位置や時刻に応じて適切な値に設定される。
【００３４】
ファイル受信処理部７０は、ファイル送信処理部４０から送信されたファイルを受信する。また、ファイルの送受信の前に、前処理も行うが、その際はファイル受信処理部７０からファイル送信処理部４０に所定の信号を送信する。前述のごとく、ファイル受信処理部７０もオペレータ制御とコマンド制御の両方の通信方式に対応しているものとする。
【００３５】
記憶部５６は、海岸局設定部６２、周波数設定部６４で設定した内容、擬似海岸局１２の情報、海岸局選択処理部６６、周波数選択処理部６８、ファイル受信処理部７０で回答すべき内容等を記憶する。
図３は、記憶部５６で記憶された海岸局についてのデータ構造を示す。「海岸局名」は、Ａ１からＡＮで示されているが、これらが実際には日本、ホノルル、グアム等に対応する。「緯度」と「経度」は、実際の海岸局が存在する位置の緯度と経度を示す。「通信方法」は、前述のオペレータ制御とコマンド制御の情報を含み、いずれかが選択されることによって、ファイル送信処理部４０とファイル受信処理部７０でなされる通信操作が異なる。「周波数」は、該当する海岸局が使用可能な周波数を示す。周波数が複数ある場合は、前述の周波数設定部６４によって、それらの周波数の中から適切なものが設定される。
【００３６】
海岸局管理部５８は、前述の船舶局管理部２８と連動して動作し、制御部６０は、擬似海岸局１２の動作全体を制御する。なお、前述した擬似海岸局１２の各部の動作を実行してもよい。ここでは、制御部６０と擬似海岸局１２内の各部との信号線を図示していないが、必要に応じて配線されているものとする。
船舶局呼出部７２は、訓練者の行った通信の講評を擬似海岸局１２から行うために、擬似船舶局１０を呼び出す。その際、どの擬似海岸局１２であるかは海岸局選択部３４での選択結果にもとづいて設定される。
【００３７】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３８】
図４は、通信操作訓練の手順を示すフローチャートである。予め非訓練者は、海岸局設定部６２で選択すべき擬似海岸局１２を設定し、周波数設定部６４で選択すべき周波数を設定する。また、これらを反映した訓練者への課題を作成する。擬似船舶局１０は、擬似海岸局１２から課題を配布され（Ｓ１０）、それを表示部１８に表示する。図５は、課題を配布した場合の表示された画面を示す。世界地図表示エリア１２２の中に船舶局位置１２４と複数の海岸局位置１２６が表示されており、訓練者は、船舶局位置１２４から適切な擬似海岸局１２に対して、周波数を選択した後に、ファイルを送信する訓練を行う。その際、訓練者はファイル生成部３２で送信ファイルを生成する。また、「ｓｅｎｄ  ｏｂｓ  ｔｏ  ＮＭＯ」というように、メッセージの形で課題も表示される。訓練者は、課題の条件に応じて、複数の海岸局位置１２６の中から擬似海岸局１２を選択する（Ｓ１２）。図６は、擬似海岸局１２を選択する場合の表示された画面を示す。図示のごとく擬似海岸局１２の一覧が表示され、訓練者は海岸局選択部３４によって擬似海岸局１２を選択する。
【００３９】
次に訓練者は、周波数を選択する（Ｓ１６）。図７は、周波数を選択する場合の表示された画面を示す。図示のごとく周波数の一覧が表示され、訓練者は周波数選択部３６によって周波数を選択する。周波数選択処理部６８と海岸局選択処理部６６は、訓練者による擬似海岸局１２と当該擬似海岸局１２に対応した周波数の組合せの選択が適切かを判断し（Ｓ１８）、適切でなければ（Ｓ１８のＮ）、再び訓練者に選択を要求する。これは、例えば、ハワイの海岸局とそれに適した周波数が選択されなかった場合に相当する。一方、適切であれば（Ｓ１８のＹ）、チューニング部３８でチューニングする（Ｓ２０）。チューニングの際、訓練者は、図２（ａ）のＴＵＮＥボタン１１６をクリックする。訓練者は、ファイル送信処理部４０とファイル受信処理部７０の動作によって、ファイル送信のための前処理を実行する（Ｓ２２）。図８は、前処理をする場合の表示された画面を示す。基本的に、前処理はコマンドの入力と擬似海岸局１２からのコマンドの対応によって実行される。前処理には、オペレータ制御とコマンド制御があるが、それらの手順の詳細は後述する。訓練者は、ファイル送信処理部４０からファイル受信処理部７０にファイルを送信する（Ｓ２４）。
【００４０】
図９は、オペレータ制御による通信操作手順を示すシーケンス図である。当該シーケンス図は、図４のフローチャートのステップ２２以降に相当する。ここでは、擬似船舶局１０と擬似海岸局１２として説明するが、実際にはファイル送信処理部４０とファイル受信処理部７０で主に実行される。なお、擬似海岸局１２として海上保安庁の海岸局ＪＮＡを選択したとする。擬似船舶局１０は、擬似海岸局１２に、文字列「ＣＡＬＬＩＮＧＪＮＡｆｒｏｍ２７１９５  ＪＰＴＦ  Ｘ」を送信する（Ｓ５０）。擬似海岸局１２に、擬似船舶局１０が「ＪＰＴＦ」であること、「ＪＮＡ」を呼び出したことを通知する。擬似海岸局１２は、擬似船舶局１０に文字列「ＡＢ」を送信する（Ｓ５２）。擬似船舶局１０は、相互に通信前の状態を認識する。擬似船舶局１０は、擬似海岸局１２に文字列「ＣＡＬＬＩＮＧ２」を送信する（Ｓ５４）。
【００４１】
擬似海岸局１２は、擬似船舶局１０に文字列「ＪＪＮＮＡＡ」を送信する（Ｓ５６）。擬似船舶局１０と擬似海岸局１２は、ともにオペレータ制御であることを認識する。擬似船舶局１０と擬似海岸局１２は相互にＩＤを確認するために、擬似海岸局１２は、擬似船舶局１０に文字列「００４３１０００１ＪＮＡ＋？」を送信し（Ｓ５８）、擬似船舶局１０は、擬似海岸局１２に文字列「２７１９７  ＪＭＭＵＸ」を送信する（Ｓ６０）。擬似船舶局１０は、擬似海岸局１２に文字列「ＪＮＡ  ＤＥ  ＪＭＭＵ  ＪＡＳＲＥＰ？」を送信して（Ｓ６２）、用件「ＪＡＳＲＥＰの送信」を伝える。擬似海岸局１２は、擬似船舶局１０に文字列「ＪＭＭＵ  ＤＥ  ＪＮＡ  ＱＲＶ  ｋ＋？」を送信して（Ｓ６４）、受信準備完了を通知する。擬似船舶局１０は、擬似海岸局１２にファイルを送信する（Ｓ６６）。擬似海岸局１２は、擬似船舶局１０に受信証として文字列「ＪＭＭＵ  ＤＥ  ＪＮＡ  ＱＳＬ  ＮＷ  ＮＩＬ  ＴＫＳ  ＣＵ  ＢＩＢＩ  ＋？」を送信する（Ｓ６８）。擬似船舶局１０は、擬似海岸局１２に了解及び通信終了を知らせるために、文字列「ＯＫ  ＢＩＢＩ＋」を送信する（Ｓ７０）。
【００４２】
図１０は、コマンド制御による通信操作手順を示すシーケンス図である。当該シーケンス図は、図９のシーケンス図のステップ５０からステップ５６は、同様の文字列を送受信しているが、ここでは説明を省略する。ここでは、擬似船舶局１０と擬似海岸局１２として説明するが、実際にはファイル送信処理部４０とファイル受信処理部７０が主に実行される。擬似船舶局１０と擬似海岸局１２は、相互にＩＤを確認するために、擬似海岸局１２は、擬似船舶局１０に文字列「１０９９  ＮＭＯ  ＣＧ  ＨＯＮＯ」を送信し（Ｓ１００）、擬似船舶局１０は、擬似海岸局１２に文字列「２７１９７  ＪＭＭＵＸ」を送信する（Ｓ１０２）。コマンド入力を促すために、擬似海岸局１２は、擬似船舶局１０に文字列「ＧＡ＋？」を送信する（Ｓ１０４）。擬似船舶局１０は、「ＡＭＶＥＲ」ファイルを送信するためのコマンドとして、擬似海岸局１２に文字列「ＡＭＶ＋」を送信する（Ｓ１０６）。
【００４３】
擬似海岸局１２は、擬似船舶局１０に「ＭＯＭ０１＋」を送信する（Ｓ１０８）。擬似海岸局１２は、擬似船舶局１０に「ＡＭＶＥＲ」を送信する（Ｓ１１０）。擬似海岸局１２は、擬似船舶局１０に「ＭＳＧ＋？」を送信して（Ｓ１１２）、「ＡＭＶＥＲ」ファイルの送信を促す。擬似船舶局１０は、擬似海岸局１２にファイルを送信する（Ｓ１１４）。擬似船舶局１０と擬似海岸局１２は、再び相互にＩＤを確認するために、擬似海岸局１２は、擬似船舶局１０に文字列「１０９９  ＮＭＯ  ＣＧ  ＨＯＮＯ」を送信し（Ｓ１１６）、擬似船舶局１０は、擬似海岸局１２に文字列「２７１９７  ＪＭＭＵＸ」を送信する（Ｓ１１８）。擬似海岸局１２は、擬似船舶局１０に受信証として文字列「ＱＳＬ  ＡＭＶ＋  １３７  ＢＹＴＥＳ  ２／０２／０３  ２２：１７  ＧＭＴ」を送信する（Ｓ１２０）。次のコマンド入力を促すために、擬似海岸局１２は、擬似船舶局１０に文字列「ＧＡ＋？」を送信する（Ｓ１２２）。擬似船舶局１０は、了解及び通信終了を通知するために、擬似海岸局１２に文字列「ＢＲＫ＋」を送信する（Ｓ１２４）。
【００４４】
（実施例２）
図１１は、実施例２に係る通信訓練装置１００の構成を示す。通信訓練装置１００は、図１の擬似船舶局１０と擬似海岸局１２の両方の機能を有しており、図１と同一の構成要素は同一の符号で示される。通信訓練装置１００は、さらに、処理部８０、海岸局選択実行部８２、周波数選択実行部８４、ファイル送受信処理部８６、管理部８８を含む。
処理部８０は、船舶局処理部２２と海岸局処理部５２の両方の機能を有し、海岸局選択実行部８２は、海岸局選択部３４と海岸局選択処理部６６の両方の機能を有し、周波数選択実行部８４は、周波数選択部３６と周波数選択処理部６８の両方の機能を有し、ファイル送受信処理部８６は、ファイル送信処理部４０とファイル受信処理部７０の両方の機能を有し、管理部８８は、船舶局管理部２８と海岸局管理部５８の両方の機能を有する。なお、海岸局設定部６２と周波数設定部６４のかわりに訓練者の位置を設定する位置設定部が設けられてもよい。
【００４５】
本実施例によれば、次の訓練効果が期待できる。遠洋航海中に訓練者がＮＢＤＰ通信を行う機会は、１回の無線室当直あたり１、２回である。入直回数が少ないためと、複雑な通信システムであるために、通信時だけの説明だけでは、一人で操作できるまでの上達には至らない。そこで、通信の前に通信訓練装置１００で訓練を行う。
まず、実施例２の通信訓練装置１００で複数の訓練者を同時に指導し、基本操作方法を習得させる。その際に、コマンド制御とオペレータ制御の両方の通信操作を訓練する。約３０分間に１０数回繰り返すことで多くの訓練者は、通信の流れをつかめる。
次に、実施例１の通信訓練装置１００で擬似海岸局１２を非訓練者が操作して、各訓練者の擬似船舶局１０と１対１の通信訓練を行う。これで擬似海岸局１２からの問い合わせにキーボードを使用して回答する訓練や英語による通信訓練ができる。ここまで訓練を行えば実際に訓練者は一人でもファイルを送信でき、送信後に海岸局から問い合わせがあっても落ち着いて応答できる。しかしながら、電波伝搬の状態が悪い場合や混信を受けている場合は、不必要な呼び出しを行いがちである。そこで、より高度な訓練として周波数の変更や海岸局の変更を事前に訓練すれば、それに対処できる。
【００４６】
本発明の実施例１によれば、電波を発射させることなく、ＮＢＤＰ通信の操作手順が訓練可能になる。また、ＮＢＤＰ通信のオペレータ制御とコマンド制御の両方の操作手順が訓練可能になる。また、ＰＣにインストール可能なソフトウエアプログラムで実現可能であるため、低コストで実現可能になる。また、訓練者の指示に対する応答が自動的になされるため、一人でも訓練でき、技術の習得が早くなる。また、訓練者が誤った操作をした場合に、通信手順の次のステップに進行しないため、自らの操作ミスの発見が容易になる。また、訓練者が誤った操作をした場合に、警告文が表示されるため、自らの操作ミスの発見が容易になる。また、周波数選択の正確さを効果音によって訓練者に知らしめるため、実際の操作と近くなって、訓練の効果を実際の通信操作で発揮可能である。また、訓練者が入力した指示に対する応答が、自動的になされるため、非訓練者は訓練者の傍にいて訓練者を指導できる。また、訓練者がＮＢＤＰ通信の操作手順を習得すれば、通信費が有料のインマルサットだけでなく、通信費が無料のＮＢＤＰ通信も使用できるため、通信費を削減できる。さらに、本発明の実施例２によれば、本発明の実施例１の効果に加えて、１台のＰＣで訓練可能である。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４８】
本発明の実施例１において、擬似海岸局１２は、擬似船舶局１０からの指示に応じて自動的に応答している。しかしこれに限らず例えば、非訓練者が、操作部５４を介して文字列を入力することによって、擬似船舶局１０からの指示に応答してもよい。本変形例によれば、制御部６０で制御可能な処理以外にも、対応可能である。つまり、ＮＢＤＰ通信に対応した通信操作が訓練できればよい。
【００４９】
本発明の実施例１と２において、訓練者に選択させるべき擬似海岸局１２と周波数を予め海岸局設定部６２と周波数設定部６４に記憶させている。しかしながらこれに限らず例えば、予め定めた擬似船舶局１０の位置から、フェージング等を考慮して選択させるべき擬似海岸局１２と周波数を所定の規則にもとづいて決定してもよい。本変形例によれば、選択させるべき擬似海岸局１２と周波数の設定が不要になる。つまり、実際のＮＢＤＰ通信と近い条件下で訓練がなされればよい。
【００５０】
本発明の実施例１と２において、効果音再生部２０は雑音の有無に応じた２種類の効果音を再生する。しかしながらこれに限らず例えば、効果音再生部２０は、雑音強度に応じて複数種類の効果音を再生してもよい。その場合、周波数設定部６４によって、周波数と雑音強度の関係が予め設定されている。本変形例によれば、実際のＮＢＤＰ通信により近くなる。つまり、実際のＮＢＤＰ通信と近い条件下で訓練がなされればよい。
【図面の簡単な説明】
【００５１】
【図１】実施例１に係る通信訓練装置の構成を示す図である。
【図２】図２（ａ）−（ｂ）は、図１の表示部で表示された画面を示す図である。
【図３】図１の記憶部で記憶された海岸局についてのデータ構造を示す図である。
【図４】図１の通信操作訓練の手順を示すフローチャートである。
【図５】図４の課題を配布した場合の表示された画面を示す図である。
【図６】図４の擬似海岸局を選択する場合の表示された画面を示す図である。
【図７】図４の周波数を選択する場合の表示された画面を示す図である。
【図８】図４の前処理をする場合の表示された画面を示す図である。
【図９】図１のオペレータ制御による通信操作手順を示すシーケンス図である。
【図１０】図１のコマンド制御による通信操作手順を示すシーケンス図である。
【図１１】実施例２に係る通信訓練装置の構成を示す図である。
【符号の説明】
【００５２】
１０  擬似船舶局、  １２  擬似海岸局、  １４  ネットワーク、  １６  操作部、  １８  表示部、  ２０  効果音再生部、  ２２  船舶局処理部、  ２４  ネットワーク部、  ２６  記憶部、  ２８  船舶局管理部、  ３０  制御部、  ３２  ファイル生成部、  ３４  海岸局選択部、  ３６  周波数選択部、  ３８  チューニング部、  ４０  ファイル送信処理部、  ５０  ネットワーク部、  ５２  海岸局処理部、  ５４  操作部、  ５６  記憶部、  ５８  海岸局管理部、  ６０  制御部、  ６２  海岸局設定部、  ６４  周波数設定部、  ６６  海岸局選択処理部、  ６８  周波数選択処理部、  ７０  ファイル受信処理部、  ７２  船舶局呼出部、  ８０  処理部、  ８２  海岸局選択実行部、  ８４  周波数選択実行部、  ８６  ファイル送受信処理部、  ８８  管理部、  １００  通信訓練装置、  １１０  コマンド入力切替ボタン、  １１２  通信装置ウインドウ、  １１４  状態表示エリア、  １１６  ＴＵＮＥボタン、  １１８  ボタン、  １２０  コマンド入力ウインドウ、  １２２  世界地図表示エリア、  １２４  船舶局位置、  １２６  海岸局位置。
【図１】
2005099219.tif 000003
【図２】
2005099219.tif 000004
【図３】
2005099219.tif 000005
【図４】
2005099219.tif 000006
【図５】
2005099219.tif 000007
【図６】
2005099219.tif 000008
【図７】
2005099219.tif 000009
【図８】
2005099219.tif 000010
【図９】
2005099219.tif 000011
【図１０】
2005099219.tif 000012
【図１１】
2005099219.tif 000013